(57)【要約】【課題】眼底の撮像用の光源から眼底に照射される光の照射領域の広角化に対応した固視標の提示を実現することができる眼底観察装置を提供する。【解決手段】眼底観察装置は、照射部により照射された光を反射すると共に、向きを変更することで光を特定方向に走査する反射面（６８Ａ）と、反射された光を眼底に入射させ、かつ、反射された光に基づく焦点が被検眼に位置するように配置された凹状の鏡面（７０Ａ）と、固視標光を反射面及び鏡面を介して眼底に対して正対した状態で照射する複数の光源であって、反射面の向きが眼底の中央領域（α）の特定方向における一方の端部である第１端部（α１）に光を照射させる第１の向きの場合に点灯する第１の光源（８２）と、反射面の向きが中央領域の特定方向の他方の端部である第２端部（α２）に光を照射させる第２の向きの場合に点灯する第２の光源（８４）とを含む複数の光源と、を含む。【選択図】図５
2018061622.tif 000002
【特許請求の範囲】
【請求項１】
被検眼の眼底の撮像用の光を照射する照射部により照射された光を反射すると共に、向きを変更することで前記光を特定方向に走査する反射面と、
前記反射面で反射された光を前記眼底に入射させ、かつ、前記反射面で反射された光に基づく焦点が前記被検眼に位置するように配置された凹状の鏡面と、
固視標を示す光である固視標光を前記反射面及び前記鏡面を介して前記眼底に対して正対した状態で照射する複数の光源であって、前記反射面の向きが前記眼底の中央領域の前記特定方向における一方の端部である第１端部に前記光を照射させる第１の向きの場合に点灯する第１の光源と、前記反射面の向きが前記中央領域の前記特定方向の他方の端部である第２端部に前記光を照射させる第２の向きの場合に点灯する第２の光源とを含む複数の光源と、
を含む眼底観察装置。
【請求項２】
前記光が前記第１端部及び前記第２端部を通るように前記特定方向に往復して前記中央領域に対して前前記光が走査される場合の前記反射面の向きの変更速度は、前記第１の光源の点灯及び前記第２の光源の点灯を残像現象により連続した点灯として前記被検眼を通して被検者に知覚させる速度以上の速度である請求項１に記載の眼底観察装置。
【請求項３】
前記複数の光源は、前記反射面の向きが前記中央領域の周辺領域の前記特定方向における一方の端部である第３端部に前記光を照射させる第３の向きの場合に点灯する第３の光源と、前記反射面の向きが前記周辺領域の他方の端部である第４端部に前記光を照射させる第第４の向きの場合に点灯する第４の光源と、を含む請求項１又は請求項２に記載の眼底観察装置。
【請求項４】
前記光が前記第３端部及び前記第４端部を通るように前記特定方向に往復して前記周辺領域及び前記中央領域に対して前記光が走査される場合の前記反射面の向きの変更速度は、前記第３の光源の点灯及び前記第４の光源の点灯を残像現象により連続した点灯として前記被検眼を通して被検者に知覚させる速度である請求項３に記載の眼底観察装置。
【請求項５】
被検眼の眼底の撮像用の光を照射する照射部により照射された光を反射すると共に、向きを変更することで前記光を特定方向に走査する第１反射面と、
前記第１反射面で反射された光を前記眼底に入射させ、かつ、前記第１反射面で反射された光に基づく焦点が前記被検眼に位置するように配置された凹状の鏡面と、
前記光の光路から外れた位置に配置され、固視標を示す光である固視標光を照射する光源と、
前記眼底の中央領域の周辺領域に前記光が照射される場合の前記光の光路から外れた位置に配置され、第１の位置において、前記光源から照射された前記固視標光を反射し、反射した前記固視標光を前記鏡面を介して前記眼底に対して正対した状態で照射可能な第２反射面と、
駆動源からの動力を受けることにより、前記第１の位置と前記中央領域に前記光が照射される場合の前記光の光路から外れた第２位置との間で前記第２反射面を移動させる移動機構と、
前記第１反射面の向きが前記周辺領域に前記光を照射させる向きの場合に前記第２反射面が前記第１の位置に配置され、かつ、前記光源を点灯させ、前記第１反射面の向きが前記中央領域に前記光を照射させる向きの場合に前記第２反射面が前記第２位置に配置され、かつ、前記光源を点灯させるように前記駆動源及び前記光源を制御する制御部と、
を含む眼底観察装置。
【請求項６】
被検眼の眼底の撮像用の光を照射する照射部により照射された光を反射すると共に、向きを変更することで前記光を特定方向に走査する第１反射面と、
前記第１反射面で反射された光を前記眼底に入射させ、かつ、前記第１反射面で反射された光に基づく焦点が前記被検眼に位置するように配置された凹状の鏡面と、
前記眼底の中央領域の周辺領域に前記光が照射される場合の前記光の光路から外れた位置に配置され、第１の位置において、固視標を示す光である固視標光を前記鏡面を介して前記眼底に対して正対した状態で照射可能な光源と、
駆動源からの動力を受けることにより、前記第１の位置と前記中央領域に前記光が照射される場合の前記光の光路から外れた第２位置との間で前記光源を移動させる移動機構と、
前記前記第１反射面の向きが前記眼底の中央領域の周辺領域に前記光を照射させる向きの場合に前記光源が前記第１の位置に配置され、かつ、前記光源を点灯させ、前記第１反射面の向きが前記中央領域に前記光を照射させる向きの場合に前記光源が前記第２位置に配置され、かつ、前記光源を点灯させるように前記駆動源及び前記光源を制御する制御部と、
を含む眼底観察装置。
【請求項７】
被検眼の眼底の撮像用の光を照射する照射部により照射された光を前記眼底に入射させ、前記光に基づく焦点が前記被検眼に位置するように配置された凹状の鏡面と、
前記光の光路から外れた位置に配置され、固視標を示す光である固視標光を照射する光源と、
前記眼底の中央領域の周辺領域に前記光が照射される場合の前記光の光路から外れた位置に配置され、第１の位置において、前記光源から照射された前記固視標光を反射し、反射した前記固視標光を前記鏡面を介して前記眼底に対して正対した状態で照射可能な反射面と、
前記第１の位置と前記中央領域に前記光が照射される場合の前記光の光路から外れた第２位置との間で前記反射面を移動させる移動機構と、
を含む眼底観察装置。
【請求項８】
被検眼の眼底の撮像用の光を照射する照射部により照射された光を前記眼底に入射させ、前記光に基づく焦点が前記被検眼に位置するように配置された凹状の鏡面と、
前記眼底の中央領域の周辺領域に前記光が照射される場合の前記光の光路から外れた位置に配置され、第１の位置において、固視標を示す光である固視標光を前記鏡面を介して前記眼底に対して正対した状態で照射可能な光源と、
前記第１の位置と前記中央領域に前記光が照射される場合の前記光の光路から外れた第２位置との間で前記光源を移動させる移動機構と、
を含む眼底観察装置。
【発明の詳細な説明】
【技術分野】
【０００１】
本開示の技術は、眼底観察装置に関する。
【背景技術】
【０００２】
以下では、説明の便宜上、光学コヒーレンス・トモグラフィ（Ｏｐｔｉｃａｌ  Ｃｏｈｅｒｅｎｃｅ  Ｔｏｍｏｇｒａｐｈｙ）を「ＯＣＴ」と称し、走査型レーザ検眼鏡（Ｓｃａｎｎｉｎｇ  Ｌａｓｅｒ  Ｏｐｈｔｈａｌｍｏｓｃｏｐｅ）を「ＳＬＯ」と称する。
【０００３】
特許文献１には、ＯＣＴを用いて画像を生成するＯＣＴユニットを備えた眼底観察装置が開示されている。特許文献１に記載のＯＣＴユニットでは、ＣＣＤ（Ｃｈａｒｇｅ  Ｃｏｕｐｌｅｄ  Ｄｅｖｉｃｅｓ）により検出された画像信号に基づいて、被検眼の眼底の膜厚方向の画像である断層画像が生成される。
【０００４】
また、特許文献１の眼底観察装置には、ＬＣＤ（液晶ディスプレイ：Ｌｉｑｕｉｄ  Ｃｒｙｓｔａｌ  Ｄｉｓｐｌａｙ）が内蔵されており、ＬＣＤは、ＯＣＴユニットによって眼底の撮像が行われる際に被検眼の視線を特定の向きに固定させるための固視標を表示する。ＬＣＤからの光は、レンズ及びミラーを含む光学系を経由して被検眼に入射され、これにより、被検眼の眼底に固視標が投影される。
【先行技術文献】
【特許文献】
【０００５】
【特許文献１】特開２００８−２８９５７９号公報
【発明の概要】
【発明が解決しようとする課題】
【０００６】
本発明の一つの実施形態は、眼底の撮像用の光源から眼底に照射される光の照射領域の広角化に対応した固視標の提示を実現することができる眼底観察装置を提供する。
【課題を解決するための手段】
【０００７】
本発明の第１の態様に係る眼底観察装置は、被検眼の眼底の撮像用の光を照射する照射部により照射された光を反射すると共に、向きを変更することで前記光を特定方向に走査する反射面と、前記反射面で反射された光を前記眼底に入射させ、かつ、前記反射面で反射された光に基づく焦点が前記被検眼に位置するように配置された凹状の鏡面と、固視標を示す光である固視標光を前記反射面及び前記鏡面を介して前記眼底に対して正対した状態で照射する複数の光源であって、前記反射面の向きが前記眼底の中央領域の前記特定方向における一方の端部である第１端部に前記光を照射させる第１の向きの場合に点灯する第１の光源と、前記反射面の向きが前記中央領域の前記特定方向の他方の端部である第２端部に前記光を照射させる第２の向きの場合に点灯する第２の光源とを含む複数の光源と、を含む。
【０００８】
従って、本発明の第１の態様に係る眼底観察装置は、眼底の撮像用の光源から眼底に照射される光の照射領域の広角化に対応した固視標の提示を実現することができる。
【０００９】
本発明の第２の態様に係る眼底観察装置は、本発明の第１の態様に係る眼底観察装置において、前記光が前記第１端部及び前記第２端部を通るように前記特定方向に往復して前記中央領域に対して前前記光が走査される場合の前記反射面の向きの変更速度は、前記第１の光源の点灯及び前記第２の光源の点灯を残像現象により連続した点灯として前記被検眼を通して被検者に知覚させる速度以上の速度である、とされている。
【００１０】
従って、本発明の第２の態様に係る眼底観察装置は、眼底の撮像用の光源から眼底に照射される光を眼底の中央領域に照射させて撮像を行う場合に、被検者に対して固視標を途切れることなく視認させることができる。
【００１１】
本発明の第３の態様に係る眼底観察装置は、本発明の第１又は第２の態様に係る眼底観察装置において、前記複数の光源は、前記反射面の向きが前記中央領域の周辺領域の前記特定方向における一方の端部である第３端部に前記光を照射させる第３の向きの場合に点灯する第３の光源と、前記反射面の向きが前記周辺領域の他方の端部である第４端部に前記光を照射させる第第４の向きの場合に点灯する第４の光源と、を含む、とされている。
【００１２】
従って、本発明の第３の態様に係る眼底観察装置は、眼底の中央領域の周辺領域に対応した固視標の提示を実現することができる。
【００１３】
本発明の第４の態様に係る眼底観察装置は、本発明の第３の態様に係る眼底観察装置において、前記光が前記第３端部及び前記第４端部を通るように前記特定方向に往復して前記周辺領域及び前記中央領域に対して前記光が走査される場合の前記反射面の向きの変更速度は、前記第３の光源の点灯及び前記第４の光源の点灯を残像現象により連続した点灯として前記被検眼を通して被検者に知覚させる速度である、とされている。
【００１４】
従って、本発明の第４の態様に係る眼底観察装置は、眼底の撮像用の光源から眼底に照射される光を眼底の中央領域の周辺領域に照射させて撮像を行う場合に、被検者に対して固視標を途切れることなく視認させることができる。
【００１５】
本発明の第５の態様に係る眼底観察装置は、被検眼の眼底の撮像用の光を照射する照射部により照射された光を反射すると共に、向きを変更することで前記光を特定方向に走査する第１反射面と、前記第１反射面で反射された光を前記眼底に入射させ、かつ、前記第１反射面で反射された光に基づく焦点が前記被検眼に位置するように配置された凹状の鏡面と、前記光の光路から外れた位置に配置され、固視標を示す光である固視標光を照射する光源と、前記眼底の中央領域の周辺領域に前記光が照射される場合の前記光の光路から外れた位置に配置され、第１の位置において、前記光源から照射された前記固視標光を反射し、反射した前記固視標光を前記鏡面を介して前記眼底に対して正対した状態で照射可能な第２反射面と、駆動源からの動力を受けることにより、前記第１の位置と前記中央領域に前記光が照射される場合の前記光の光路から外れた第２位置との間で前記第２反射面を移動させる移動機構と、前記第１反射面の向きが前記周辺領域に前記光を照射させる向きの場合に前記第２反射面が前記第１の位置に配置され、かつ、前記光源を点灯させ、前記第１反射面の向きが前記中央領域に前記光を照射させる向きの場合に前記第２反射面が前記第２位置に配置され、かつ、前記光源を点灯させるように前記駆動源及び前記光源を制御する制御部と、を含む。
【００１６】
従って、本発明の第５の態様に係る眼底観察装置は、眼底の撮像用の光源から眼底に照射される光の照射領域の広角化に対応した固視標の提示を実現することができる。
【００１７】
本発明の第６の態様に係る眼底観察装置は、被検眼の眼底の撮像用の光を照射する照射部により照射された光を反射すると共に、向きを変更することで前記光を特定方向に走査する第１反射面と、前記第１反射面で反射された光を前記眼底に入射させ、かつ、前記第１反射面で反射された光に基づく焦点が前記被検眼に位置するように配置された凹状の鏡面と、前記眼底の中央領域の周辺領域に前記光が照射される場合の前記光の光路から外れた位置に配置され、第１の位置において、固視標を示す光である固視標光を前記鏡面を介して前記眼底に対して正対した状態で照射可能な光源と、駆動源からの動力を受けることにより、前記第１の位置と前記中央領域に前記光が照射される場合の前記光の光路から外れた第２位置との間で前記光源を移動させる移動機構と、前記前記第１反射面の向きが前記眼底の中央領域の周辺領域に前記光を照射させる向きの場合に前記光源が前記第１の位置に配置され、かつ、前記光源を点灯させ、前記第１反射面の向きが前記中央領域に前記光を照射させる向きの場合に前記光源が前記第２位置に配置され、かつ、前記光源を点灯させるように前記駆動源及び前記光源を制御する制御部と、を含む。
【００１８】
従って、本発明の第６の態様に係る眼底観察装置は、眼底の撮像用の光源から眼底に照射される光の照射領域の広角化に対応した固視標の提示を実現することができる。
【００１９】
本発明の第７の態様に係る眼底観察装置は、被検眼の眼底の撮像用の光を照射する照射部により照射された光を前記眼底に入射させ、前記光に基づく焦点が前記被検眼に位置するように配置された凹状の鏡面と、前記光の光路から外れた位置に配置され、固視標を示す光である固視標光を照射する光源と、前記眼底の中央領域の周辺領域に前記光が照射される場合の前記光の光路から外れた位置に配置され、第１の位置において、前記光源から照射された前記固視標光を反射し、反射した前記固視標光を前記鏡面を介して前記眼底に対して正対した状態で照射可能な反射面と、前記第１の位置と前記中央領域に前記光が照射される場合の前記光の光路から外れた第２位置との間で前記反射面を移動させる移動機構と、を含む。
【００２０】
従って、本発明の第７の態様に係る眼底観察装置は、眼底の撮像用の光源から眼底に照射される光の照射領域の広角化に対応した固視標の提示を実現することができる。
【００２１】
本発明の第８の態様に係る眼底観察装置は、被検眼の眼底の撮像用の光を照射する照射部により照射された光を前記眼底に入射させ、前記光に基づく焦点が前記被検眼に位置するように配置された凹状の鏡面と、前記眼底の中央領域の周辺領域に前記光が照射される場合の前記光の光路から外れた位置に配置され、第１の位置において、固視標を示す光である固視標光を前記鏡面を介して前記眼底に対して正対した状態で照射可能な光源と、前記第１の位置と前記中央領域に前記光が照射される場合の前記光の光路から外れた第２位置との間で前記光源を移動させる移動機構と、を含む。
【００２２】
従って、本発明の第８の態様に係る眼底観察装置は、眼底の撮像用の光源から眼底に照射される光の照射領域の広角化に対応した固視標の提示を実現することができる。
【発明の効果】
【００２３】
本発明の一つの実施形態によれば、眼底の撮像用の光源から眼底に照射される光の照射領域の広角化に対応した固視標の提示を実現することができる、という効果が得られる。
【図面の簡単な説明】
【００２４】
【図１】第１〜第４実施形態に係る眼底観察装置の全体構成の一例を示すブロック図である。
【図２】第１〜第４実施形態に係る眼底観察装置の撮像系の各光源から照射された光を被検眼に導く光学系の構成の一例を示す概略斜視図である。
【図３】第１〜第４実施形態に係る眼底観察装置に含まれる主制御部のハードウェア構成の一例を示すブロック図である。
【図４】第１実施形態に係る眼底観察装置に含まれるダイクロイックミラー、スリットミラー、Ｈ−ガルバノミラー、楕円面鏡、第１固視標光源、及び第２固視標光源の概略構成を示す平面視概念図である。
【図５】第１実施形態に係る眼底観察装置に含まれる第１固視標光源が点灯している状態での本開示の技術に係る要部構成の一例を示す平面視概念図である。
【図６】第１実施形態に係る眼底観察装置に含まれる第１及び第２固視標光源が消灯している状態での本開示の技術に係る要部構成の一例を示す平面視概念図である。
【図７】第１実施形態に係る眼底観察装置に含まれる第２固視標光源が点灯している状態での本開示の技術に係る要部構成の一例を示す平面視概念図である。
【図８】第１実施形態に係る固視標光制御処理の流れの一例を示すフローチャートである。
【図９】第２実施形態に係る眼底観察装置に含まれるダイクロイックミラー、スリットミラー、Ｈ−ガルバノミラー、楕円面鏡、及び第１〜第４固視標光源の概略構成を示す平面視概念図である。
【図１０】第２実施形態に係る眼底観察装置に含まれる第３固視標光源が点灯している状態での本開示の技術に係る要部構成の一例を示す平面視概念図である。
【図１１】第２実施形態に係る眼底観察装置に含まれる第４固視標光源が点灯している状態での本開示の技術に係る要部構成の一例を示す平面視概念図である。
【図１２】第２実施形態に係る固視標光制御処理の流れの一例を示すフローチャートである。
【図１３】第３実施形態に係る眼底観察装置に含まれるダイクロイックミラー、スリットミラー、Ｈ−ガルバノミラー、楕円面鏡、平面ミラー、及び第１〜第３固視標光源の概略構成を示す平面視概念図である。
【図１４】第３実施形態に係る眼底観察装置に含まれる第３固視標光源が第３端部に照射光が照射されている状態で点灯しているタイミングでの本開示の技術に係る要部構成の一例を示す平面視概念図である。
【図１５】第３実施形態に係る眼底観察装置に含まれる第３固視標光源が第４端部に照射光が照射されている状態で点灯しているタイミングでの本開示の技術に係る要部構成の一例を示す平面視概念図である。
【図１６】第３実施形態に係る眼底観察装置に含まれる第３固視標光源が消灯している状態での本開示の技術に係る要部構成の一例を示す平面視概念図である。
【図１７】第３実施形態に係る固視標光制御処理の流れの一例を示すフローチャートである。
【図１８】第４実施形態に係る眼底観察装置に含まれる第３固視標光源が第４端部に照射光が照射されている状態で点灯しているタイミングでの本開示の技術に係る要部構成の一例を示す平面視概念図である。
【図１９】第４実施形態に係る固視標光制御処理の流れの一例を示すフローチャートである。
【図２０】第３実施形態に係る眼底観察装置の構成の変形例を示す平面視概念図である。
【図２１】第４実施形態に係る眼底観察装置の構成の変形例を示す平面視概念図である。
【図２２】第１〜第４実施形態に係るプログラムが記憶された記憶媒体からプログラムが眼底観察装置にインストールされる態様の一例を示す概念図である。
【図２３】図１に示すＳＬＯユニット、ＯＣＴユニット、及び共通光学系に対応する構成を示す概念図である。
【図２４】走査光学系の第１の変形例を示す概念図である。
【図２５】走査光学系の第２の変形例を示す概念図である。
【図２６】第２実施形態に係る眼底観察装置の要部構成の変形例を示す平面視概念図である。
【発明を実施するための形態】
【００２５】
以下、添付図面に従って本発明に係る実施形態の一例について説明する。
【００２６】
なお、本実施形態において、「垂直」とは、許容される範囲内の誤差を含めた意味合いでの垂直を指し、「平行」とは、許容される範囲内の誤差を含めた意味合いでの平行を指す。また、本実施形態において、「正対」とは、許容される範囲内の誤差を含めた意味合いでの正対を指す。また、本実施形態において、「同一」とは、許容される範囲内の誤差を含めた意味合いでの同一を指す。
【００２７】
また、本実施形態では、説明の便宜上、スーパールミネッセントダイオード（Ｓｕｐｅｒ  Ｌｕｍｉｎｅｓｃｅｎｔ  Ｄｉｏｄｅ）を「ＳＬＤ」と称する。また、本実施形態では、説明の便宜上、インタフェース（Ｉｎｔｅｒｆａｃｅ）を「Ｉ／Ｆ」と称する。また、本実施形態では、赤（Ｒｅｄ）を「Ｒ」と称し、緑（Ｇｒｅｅｎ）を「Ｇ」と称する。
【００２８】
［第１実施形態］
一例として図１に示すように、眼底観察装置１０Ａは、装置本体１２及び制御装置１３を含む。
【００２９】
装置本体１２は、ＳＬＯユニット３２、ＯＣＴユニット３４、及び共通光学系３６を含む。なお、ＳＬＯユニット３２及びＯＣＴユニット３４は、本開示の技術に係る「照射部」の一例である。
【００３０】
眼底観察装置１０Ａは、ＳＬＯによる撮像を行う機能であるＳＬＯ撮像系機能と、ＯＣＴによる撮像を行う機能であるＯＣＴ撮像系機能とを有する。ＳＬＯ撮像系機能は、制御装置１３、ＳＬＯユニット３２、及び共通光学系３６によって実現され、ＯＣＴ撮像系機能は、制御装置１３、ＯＣＴユニット３４、及び共通光学系３６によって実現される。
【００３１】
眼底観察装置１０Ａは、ＳＬＯ撮影系機能を働かせる動作モードであるＳＬＯモードと、ＯＣＴ撮像系機能を働かせる動作モードであるＯＣＴモードとを有しており、ＳＬＯモード及びＯＣＴモードは、ユーザの指示、又はシーケンス制御によって選択的に設定される。
【００３２】
ＳＬＯユニット３２は、被検眼３８の眼底の表面の２次元画像を生成するために用いられ、射出部４０、ビームスプリッタ４２、ポリゴンミラー４４、光検出器４６、及びモータ４８を含む。
【００３３】
なお、以下では、説明の便宜上、被検眼３８の眼底を単に「眼底」とも称する。また、以下では、説明の便宜上、例えば眼底観察装置１０Ａが水平面（図示省略）に設置された場合の水平面に対する垂直方向を「Ｙ方向」と称する。また、以下では、説明の便宜上、例えば眼底観察装置１０Ａが水平面に設置された場合の水平面に対して平行で、かつ、眼底観察装置１０Ａの接眼レンズ（図示省略）に対して前眼部が正対した状態で配置された被検眼３８の奥行き方向を「Ｚ方向」と称する。また、以下では、説明の便宜上、Ｙ方向及びＺ方向の双方に対して垂直な方向を「Ｘ方向」と称する。
【００３４】
射出部４０は、光源４０Ａ及びバンドパスフィルタ４０Ｂを含む。光源４０Ａは、ＳＬＯによる撮影用の光源であり、４００ナノメートル〜９００ナノメートル程度の範囲内の波長の光を射出する。光源４０Ａから射出された光はバンドパスフィルタ４０Ｂを透過することで、特定の波長を有する光のみがビームスプリッタ４２に射出される。
【００３５】
また、本第１実施形態では、射出部４０から射出される光は、可視光であるＲＧ光と、近赤外領域の波長の光である近赤外光とに大別される。
【００３６】
また、本第１実施形態では、光源４０Ａから発せられる光の波長が変更され、かつ、光源４０Ａから発せられた光に対してバンドパスフィルタ４０Ｂを作用させることで、射出部４０からＲＧ光及び近赤外光が選択的に射出される。
【００３７】
なお、以下では、説明の便宜上、射出部４０から射出される光としてのＲＧ光と近赤外光とを区別して説明する必要がない場合、単に「ＳＬＯ光」と称する。また、ＳＬＯ光は、本開示の技術に係る「被検眼の眼底の撮像用の光」の一例である。
【００３８】
ビームスプリッタ４２は、ＳＬＯ光を透過させることでポリゴンミラー４４に導き、第１眼底反射光を光検出器４６に導く。なお、ここで、第１眼底反射光とは、ＳＬＯ光に起因する眼底反射光を指す。また、眼底反射光とは、眼底で反射して共通光学系３６に入射した光を指す。
【００３９】
ポリゴンミラー４４は、ビームスプリッタ４２からのＳＬＯ光を共通光学系３６に送り出す。そして、一例として図２に示すように、ポリゴンミラー４４は、モータ４８の駆動力を受けて矢印Ａ方向に回転することでＳＬＯ光をＹ方向に走査する。
【００４０】
光検出器４６は、フォトディテクタ４６Ａ及び光学フィルタ４６Ｂを含む。光学フィルタ４６Ｂは、フォトディテクタ４６Ａの受光面４６Ａ１とビームスプリッタ４２の反射面４２Ａとの間で受光面４６Ａ１を覆う位置に配置され、近赤外光による第１眼底反射光とＲＧ光による第１眼底反射光とを選択的に受光面４６Ａ１に入射させる。
【００４１】
フォトディテクタ４６Ａは、光学フィルタ４６Ｂを介して入射された第１眼底反射光に基づく画像信号であるＳＬＯ画像信号を生成し、生成したＳＬＯ画像信号を出力する。
【００４２】
ＯＣＴユニット３４は、眼底の断層画像を生成するために用いられ、ＳＬＤ５０、光カプラ５２、参照光光学系５４、分光器５６、ラインセンサ５８、Ｖ−ガルバノミラー６０、及びモータ６２を含む。
【００４３】
ＳＬＤ５０は、低コヒーレンス光を射出する。低コヒーレンス光とは、例えば、射出部４０から射出される近赤外光よりも長い波長の近赤外領域の光を含み、数十マイクロメートル程度の時間的コヒーレンス長を有する光を指す。
【００４４】
ＳＬＤ５０から射出された低コヒーレンス光は、第１の光ファイバ（図示省略）を経由して光カプラ５２に取り込まれ、参照光と信号光とに分割される。参照光は、第２の光ファイバ（図示省略）を経由して参照光光学系５４に導かれ、信号光は、第３の光ファイバ（図示省略）を経由してＶ−ガルバノミラー６０に導かれる。なお、信号光は、本開示の技術に係る「被検眼の眼底の撮像用に光」の一例である。
【００４５】
参照光光学系５４は、コリメータレンズ（図示省略）、分散補償ガラス（図示省略）、及び参照ミラー（図示省略）を有しており、参照光がコリメータレンズ及び分散補償ガラスを経由して参照ミラーに導かれる。
【００４６】
参照ミラーは、参照光を反射することで同一の光路を経由させて光カプラ５２に戻す。参照ミラーは、参照光の光軸方向に移動可能な可動式ミラーであり、参照ミラーの位置を光軸上で移動させることで参照光の光路長が調節される。また、参照ミラーを移動させることで、眼底におけるＺ方向の異なる位置の画像を取得することが可能となる。
【００４７】
Ｖ−ガルバノミラー６０は、信号光を共通光学系３６に送り出す。そして、一例として図２に示すように、Ｖ−ガルバノミラー６０は、モータ６２の駆動力を受けて矢印Ｂ方向に回転振動することで信号光をＹ方向に走査する。
【００４８】
また、Ｖ−ガルバノミラー６０は、第２眼底反射光を第４の光ファイバを介して光カプラ５２に導く。なお、ここで、第２眼底反射光とは、信号光に起因する眼底反射光を指す。
【００４９】
光カプラ５２に導かれた第２眼底反射光と参照光光学系から光カプラ５２に導かれた参照光は、光カプラ５２で重畳され、干渉が起こる。干渉が起こることで得られた干渉光は、分光器５６により分光され、分光された干渉光は、ラインセンサ５８に導かれる。
【００５０】
ラインセンサ５８は、入射された干渉光に基づく画像信号であるＯＣＴ画像信号を生成し、生成したＯＣＴ画像信号を出力する。
【００５１】
共通光学系３６は、ダイクロイックミラー６４、楕円状の凹面反射面を有するスリットミラー６６、Ｈ−ガルバノミラー６８、楕円面鏡７０、及びモータ７２を含む。
【００５２】
ダイクロイックミラー６４は、ＳＬＯユニット３２のポリゴンミラー４４からのＳＬＯ光を透過させることで、ＳＬＯ光をスリットミラー６６に導き、ＯＣＴユニット３４のＶ−ガルバノミラー６０からの信号光を反射することで、信号光をスリットミラー６６に導く。
【００５３】
なお、以下では、説明の便宜上、信号光及びＳＬＯ光を区別して説明する必要がない場合、「照射光」と称する。
【００５４】
スリットミラー６６は、入射された照射光をＨ−ガルバノミラー６８に向けて反射する。Ｈ−ガルバノミラー６８は、スリットミラー６６からの照射光を反射して楕円面鏡７０の鏡面７０Ａに送り出す。そして、一例として図２に示すように、Ｈ−ガルバノミラー６８は、モータ７２の駆動力を受けて矢印Ｃ方向に回転振動することで照射光をＸ方向に走査する。なお、Ｘ方向は、本開示の技術に係る「特定方向」の一例である。また、鏡面７０Ａは、本開示の技術に係る「凹状の鏡面」の一例である。
【００５５】
楕円面鏡７０は、鏡面７０Ａに入射された照射光を反射することで照射光を眼底に導く。楕円面鏡７０は、鏡面７０Ａで反射された照射光に基づく焦点が被検眼３８に位置するように配置されており、楕円面鏡７０によって眼底に導かれた照射光は、眼底で反射する。そして、眼底反射光は、共通光学系３６において、照射光と同一の光路を辿ってダイクロイックミラー６４に導かれる。ダイクロイックミラー６４は、第１眼底反射光をＳＬＯユニット３２に導き、第２眼底反射光をＯＣＴユニット３４に導く。なお、２つの楕円面による眼底撮像光学系の基本構成については、特許第３４９００８８号及び特許第５３３０２３６号に開示されている構成と同様である。
【００５６】
なお、眼底観察装置１０Ａでは、一例として図１に示すように、眼底での照射光の照射領域は、本開示の技術に係る「眼底の中央領域」の一例である第１照射領域αと、本開示の技術に係る「周辺領域」の一例である第２照射領域βとに大別される。
【００５７】
第１照射領域αとは、例えば、被検眼３８の中心ＯからＺ方向側の４５度の角度範囲、換言すると、被検眼３８の中心Ｏを基準点として眼底の中心から眼底の周辺方向にかけて４５度の角度で広がった領域を指す。第２照射領域βとは、例えば、被検眼３８の中心ＯからＺ方向側の４５度を超え且つ２００度以下の角度範囲、換言すると、被検眼３８の中心Ｏを基準点として眼底の中心から眼底の周辺方向にかけて４５度を超え且つ２００度以下の角度で広がった領域を指す。
【００５８】
制御装置１３は、装置本体１２と各種情報の授受を行うことで装置本体１２の動作を制御する。また、制御装置１３は、フォトディテクタ４６Ａから得られたＳＬＯ画像信号に基づいて眼底の表面の態様を示す２次元画像を生成する。また、制御装置１３は、ラインセンサ５８から得られたＯＣＴ画像信号に基づいて眼底の断面画像を生成する。
【００５９】
なお、本第１実施形態では、ＳＬＯユニット３２を用いて得られる２次元画像が、ＲＧ光に基づく有彩色の画像と近赤外光に基づく無彩色の画像とに大別される。また、ＯＣＴユニット３４を用いて得られる断面画像は、無彩色の画像である。更に、ＳＬＯユニット３２を用いて得られる２次元画像及びＯＣＴユニット３４を用いて得られる断面画像は共に、静止画像として表示され、ライブビュー画像としても表示される。
【００６０】
制御装置１３は、主制御部１４、ＯＣＴ画像生成部１６、ＳＬＯ画像生成部１８、受付Ｉ／Ｆ２０、受付デバイス２２、表示制御部２４、ディスプレイ２６、通信Ｉ／Ｆ２８、及びバスライン３０を含む。
【００６１】
主制御部１４、ＯＣＴ画像生成部１６、ＳＬＯ画像生成部１８、受付Ｉ／Ｆ２０、表示制御部２４、及び通信Ｉ／Ｆ２８は、バスライン３０に接続されている。従って、主制御部１４は、ＯＣＴ画像生成部１６、ＳＬＯ画像生成部１８、受付Ｉ／Ｆ２０、表示制御部２４、及び通信Ｉ／Ｆ２８との間で各種情報の授受を行うことができる。
【００６２】
主制御部１４は、モータ４８，６２，７２の各々に対応する各モータ駆動回路（図示省略）を通信Ｉ／Ｆ２８を介して制御することで、モータ４８，６２，７２の駆動を制御する。
【００６３】
また、主制御部１４は、光源４０Ａに対応する光源駆動回路（図示省略）を通信Ｉ／Ｆ２８を介して制御することで、光源４０Ａの点灯及び消灯の切り替え、光量の調節、及び光源４０Ａから発せられる光の波長の変更等を行う。
【００６４】
また、主制御部１４は、ＳＬＤ５０に対応するＳＬＤ駆動回路（図示省略）を通信Ｉ／Ｆ２８を介して制御することで、ＳＬＤ５０の点灯及び消灯の切り替え、光量の調節、及びＳＬＤ５０から発せられる光の波長の変更等を行う。
【００６５】
更に、主制御部１４は、バンドパスフィルタ４０Ｂの動作、光学フィルタ４６Ｂの動作、及び参照光光学系５４の参照ミラーの動作を通信Ｉ／Ｆ２８を介して制御する。
【００６６】
受付デバイス２２は、キーボード、マウス、及びタッチパネル等を有しており、ユーザによる各種指示を受け付ける。
【００６７】
受付デバイス２２は、受付Ｉ／Ｆ２０に接続されており、受け付けた指示の内容を示す指示内容信号を受付Ｉ／Ｆ２０に出力する。主制御部１４は、受付Ｉ／Ｆ２０から入力された指示内容信号に応じた処理を実行する。
【００６８】
ディスプレイ２６は、例えば、ＬＣＤやＯＥＬＤ（Ｏｒｇａｎｉｃ  Ｅｌｅｃｔｒｏｌｕｍｉｎｅｓｃｅｎｃｅ  Ｄｉｓｐｌａｙ）である。ディスプレイ２６は、表示制御部２４に接続されている。表示制御部２４は、主制御部１４の制御下で、ディスプレイ２６を制御することにより、ＳＬＯユニット３２を用いて得られる２次元画像及びＯＣＴユニット３４を用いて得られる断面画像を静止画像やライブビュー画像としてディスプレイ２６に表示する。また、表示制御部２４は、主制御部１４の制御下で、ディスプレイ２６を制御することにより、メニュー画面等の各種画面も表示する。
【００６９】
通信Ｉ／Ｆ２８は、装置本体３４の電気系と接続されており、主制御部１４の制御下で動作し、主制御部１４と装置本体３４との間での各種情報の送受信を司る。
【００７０】
ＳＬＯ画像生成部１８は、ＳＬＯユニット３２のフォトディテクタ４６ＡからのＳＬＯ画像信号を通信Ｉ／Ｆ２８を介して取得し、取得したＳＬＯ画像信号に基づく２次元画像を生成する処理を行う専用回路である。
【００７１】
ＳＬＯ画像生成部１８は、生成した２次元画像を、例えば、数十フレーム／秒などの特定のフレームレートで１フレーム毎に表示制御部２４に出力する。表示制御部２４は、ＳＬＯ画像生成部１８から入力された２次元画像を、主制御部１４の指示に従って、ライブビュー画像としてディスプレイ２６に表示する。また、表示制御部２４は、ＳＬＯ画像生成部１８から入力された２次元画像を、主制御部１４の指示に従って、静止画像としてディスプレイ２６に表示する。
【００７２】
ＯＣＴ画像生成部１６は、ＯＣＴユニット３４のラインセンサ５８からのＯＣＴ画像信号を通信Ｉ／Ｆ２８を介して取得し、取得したＯＣＴ画像信号に基づく断層画像を生成する処理を行う専用回路である。
【００７３】
ＯＣＴ画像生成部１６は、生成した断層画像を、例えば、数十フレーム／秒などの特定のフレームレートで１フレーム毎に表示制御部２４に出力する。表示制御部２４は、ＯＣＴ画像生成部１６から入力された断層画像を、主制御部１４の指示に従って、ライブビュー画像としてディスプレイ２６に表示する。また、表示制御部２４は、ＯＣＴ画像生成部１６から入力された断層画像を、主制御部１４の指示に従って、静止画像としてディスプレイ２６に表示する。
【００７４】
なお、本第１実施形態では、ＯＣＴ画像生成部１６及びＳＬＯ画像生成部１８の各々が、ＦＰＧＡ（Ｆｉｅｌｄ−Ｐｒｏｇｒａｍｍａｂｌｅ  Ｇａｔｅ  Ａｒｒａｙ）によって実現される場合を例示しているが、本開示の技術はこれに限定されるものではない。例えば、ＯＣＴ画像生成部１６及びＳＬＯ画像生成部１８の各々は、ＣＰＵ、ＲＯＭ、及びＲＡＭを含むコンピュータによって実現されてもよいし、ＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）によって実現されてもよい。また、ＯＣＴ画像生成部１６及びＳＬＯ画像生成部１８の各々は、ハードウェア構成及びソフトウェア構成の組み合わせによって実現されてもよい。
【００７５】
一例として図３に示すように、主制御部１４は、ＣＰＵ（Ｃｅｎｔｒａｌ  Ｐｒｏｃｅｓｓｉｎｇ  Ｕｎｉｔ）７４、一次記憶部７６、及び二次記憶部７８を含み、ＣＰＵ７４、一次記憶部７６、及び二次記憶部７８は、バスライン３０に接続されている。
【００７６】
本開示の技術に係る「制御部」の一例であるＣＰＵ７４は、眼底観察装置１０Ａの全体を制御する。一次記憶部７６は、各種プログラムの実行時のワークエリア等として用いられる揮発性のメモリであり、一次記憶部７６の一例としては、ＲＡＭ（Ｒａｎｄｏｍ  Ａｃｃｅｓｓ  Ｍｅｍｏｒｙ）が挙げられる。また、二次記憶部７８は、眼底観察装置１０Ａの基本的な動作を制御するプログラムや各種パラメータ等を記憶する不揮発性のメモリであり、二次記憶部７８の一例としては、ＥＥＰＲＯＭ（Ｅｌｅｃｔｒｉｃａｌｌｙ  Ｅｒａｓａｂｌｅ  Ｐｒｏｇｒａｍｍａｂｌｅ  Ｒｅａｄ  Ｏｎｌｙ  Ｍｅｍｏｒｙ）やフラッシュメモリ等が挙げられる。
【００７７】
二次記憶部７８は、後述の固視標光制御処理（図８参照）を実現するためにＣＰＵ７４実行されるプログラム８０Ａを記憶している。
【００７８】
ＣＰＵ７４は、二次記憶部７８からプログラム８０Ａを読み出して一次記憶部７６に展開し、プログラム８０Ａを実行することで、本開示の技術に係る制御部として動作する。
【００７９】
一例として図４に示すように、スリットミラー６６には、本開示の技術に係る「第１の光源」の一例である第１固視標光源８２、及び本開示の技術に係る「第２の光源」の一例である第２固視標光源８４が隣接している。第１固視標光源８２は、フレーム８６等によって筐体（図示省略）に固定されており、第２固視標光源８４は、フレーム８８等によって筐体に固定されている。
【００８０】
ここで、第１固視標光源８２及び第２固視標光源８４の各々は、光量、波長、及びビーム径等の光の特性が同一の固視標光を射出するＬＥＤ（Ｌｉｇｈｔ−Ｅｍｉｔｔｉｎｇ−Ｄｉｏｄｅ）であり、制御装置１３の制御下で、点灯及び消灯が選択的に行われる。なお、固視標光とは、ＳＬＯモードで眼底の撮像を行う場合及びＯＣＴモードで眼底の撮像を行う場合に、被検眼３８の視線を特定の位置に固定させるために被検眼３８に提示する固視標を示す光を指す。
【００８１】
本第１実施形態において、固視標光は、第１固視標光源８２から射出される第１固視標光と第２固視標光源８４から射出される第２固視標光とに大別される。なお、本第１実施形態では、説明の便宜上、第１固視標光と第２固視標光とを区別せずに説明する場合、単に「固視標光」と称する。また、図４〜図７において、一点鎖線で示す光路は、照射光の光路であり、二点鎖線で示す固視標光の光路である。
【００８２】
一例として図５〜図７に示すように、第１端部α１と第２端部α２との間で往復して信号光が照射される場合、Ｈ−ガルバノミラー６８の１秒間当たりの回転数、すなわち、Ｈ−ガルバノミラー６８の振動数は、例えば、２５Ｈｚ（ヘルツ）である。なお、ここで、第１端部α１とは、第１照射領域αにおけるＸ方向の一方の端部を指し、第２端部α２とは、第１照射領域αにおけるＸ方向の他方の端部を指す。
【００８３】
一例として図５に示すように、第１固視標光源８２は、Ｈ−ガルバノミラー６８の鏡面６８Ａの向きが第１の向きの場合に第１固視標光が眼底に対して正対した状態で第１照射領域αの中央部に照射されるように配置されている。なお、Ｈ−ガルバノミラー６８の鏡面６８Ａは、本開示の技術に係る「反射面」及び「第１反射面」の一例である。
【００８４】
第１固視標光源８２は、鏡面６８Ａの向きが第１の向きの場合にのみ点灯される。なお、ここで、第１の向きとは、一例として図５に示すように、第１端部α１に照射光が照射される場合の鏡面６８Ａの向きを指す。
【００８５】
鏡面６８Ａの向きが第１の向きの場合、第１固視標光は、鏡面６８Ａ及び鏡面７０Ａを介して眼底に対して正対した状態で第１照射領域αの中央部に照射される。つまり、鏡面６８Ａの向きが第１の向きの場合、第１固視標光は、鏡面６８Ａで反射し、反射した第１固視標光は鏡面７０Ａで更に反射し、鏡面７０Ａで反射した第１固視標光は眼底に対して正対した状態で第１照射領域αの中央部に到達する。
【００８６】
一例として図７に示すように、第２固視標光源８４は、鏡面６８Ａの向きが第２の向きの場合に第２固視標光が眼底に対して正対した状態で第１照射領域αの中央部に照射されるように配置されている。第２固視標光源８４は、鏡面６８Ａの向きが第１の向きの場合にのみ点灯される。なお、ここで、第２の向きとは、一例として図７に示すように、第２端部α２に照射光が照射される場合の鏡面６８Ａの向きを指す。
【００８７】
鏡面６８Ａの向きが第２の向きの場合、第２固視標光は、鏡面６８Ａ及び鏡面７０Ａを介して眼底に対して正対した状態で第１照射領域αの中央部に照射される。つまり、鏡面６８Ａの向きが第２の向きの場合、第２固視標光は、鏡面６８Ａで反射し、反射した第２固視標光は鏡面７０Ａで更に反射し、鏡面７０Ａで反射した第２固視標光は眼底に対して正対した状態で第１照射領域αの中央部に到達する。
【００８８】
一例として図６に示すように、鏡面６８Ａの向きが第１の向き又は第２の向きでない場合、すなわち、照射光が第１端部α１又は第２端部α２に照射されない場合、第１固視標光源８２及び第２固視標光源８４は消灯される。なお、図６に示す例では、信号光が第１照射領域αの中央に照射された状態が示されている。
【００８９】
なお、本第１実施形態では、上述したように、Ｈ−ガルバノミラー６８が２５Ｈｚで回転動作するので、第１固視標光源８２の点灯及び第２固視標光源８４の点灯を残像現象により連続した点灯として被検眼３８を通して被検者に知覚させることができる。このように、本第１実施形態では、ＯＣＴモードにおいて、Ｈ−ガルバノミラー６８が２５Ｈｚで回転動作する場合を例示しているが、本開示の技術はこれに限定されるものではない。例えば、Ｈ−ガルバノミラー６８の向きの変更速度は、第１固視標光源８２の点灯及び第２固視標光源８４の点灯を残像現象により連続した点灯として被検眼３８を通して被検者に知覚させる速度であればよい。
【００９０】
次に、眼底観察装置１０Ａの本開示の技術に係る部分の作用として、ＯＣＴモードで眼底の撮像が行われている場合にＣＰＵ７４がプログラム８０Ａに従うことでＣＰＵ７４によって実行される固視標光制御処理について図８を参照して説明する。
【００９１】
図８に示す固視標光制御処理では、ステップ１００で、ＣＰＵ７４は、信号光の眼底での照射位置が第１端部α１か否かを判定する。ステップ１００において、信号光の眼底での照射位置が第１端部α１の場合は、判定が肯定されて、ステップ１０２へ移行する。ステップ１００において、信号光の眼底での照射位置が第１端部α１でない場合は、判定が否定されて、ステップ１０６へ移行する。
【００９２】
ステップ１０２で、ＣＰＵ７４は、第１固視標光源８２を既定時間だけ点灯させ、その後、ステップ１０４へ移行する。なお、本ステップ１０２において、既定時間とは、第１固視標光源８２を点灯させる最低限必要な時間を意味する。第１固視標光源８２を点灯させる最低限必要な時間は、被検眼３８を通して被検者に知覚させることが可能な時間として実機による試験又はコンピュータ・シミュレーション等の結果に基づいて予め算定された時間であればよい。
【００９３】
ステップ１０６で、ＣＰＵ７４は、信号光の眼底での照射位置が第２端部α２か否かを判定する。ステップ１０６において、信号光の眼底での照射位置が第２端部α２の場合は、判定が肯定されて、ステップ１０８へ移行する。ステップ１０６において、信号光の眼底での照射位置が第２端部α２でない場合は、判定が否定されて、ステップ１０４へ移行する。
【００９４】
ステップ１０６で、ＣＰＵ７４は、第２固視標光源８４を既定時間（例えば、第１固視標光源８２の点灯時間と同じ時間）だけ点灯させ、その後、ステップ１０４へ移行する。なお、本ステップ１０６において、既定時間とは、第２固視標光源８４を点灯させる最低限必要な時間を意味する。第２固視標光源８４を点灯させる最低限必要な時間は、被検眼３８を通して被検者に知覚させることが可能な時間として実機による試験又はコンピュータ・シミュレーション等の結果に基づいて予め算定された時間であればよい。
【００９５】
ステップ１０４で、ＣＰＵ７４は、固視標光制御処理を終了する条件を満足したか否かを判定する。なお、以下では、説明の便宜上、固視標光制御処理を終了する条件を単に「終了条件」と称する。
【００９６】
ここで、終了条件の一例としては、固視標光制御処理を強制終了する指示又はＯＣＴモードを終了する指示が受付デバイス２２によって受け付けられたとの条件や、ＯＣＴモード下で、指定された範囲内の断層画像の取得が終了したとの条件等が挙げられる。
【００９７】
ステップ１０４において、終了条件を満足していない場合は、判定が否定されて、ステップ１００へ移行する。ステップ１０４において、終了条件を満足した場合は、判定が肯定されて、本固視標光制御処理を終了する。
【００９８】
以上説明したように、眼底観察装置１０Ａは、鏡面６８Ａの向きが第１の向きの場合に点灯する第１固視標光源８２と、鏡面６８Ａの向きが第２の向きの場合に点灯する第２固視標光源８４とを備えている。従って、眼底観察装置１０Ａによれば、第１照射領域αに対応した固視標の提示を実現することができる。
【００９９】
また、眼底観察装置１０Ａでは、鏡面６８Ａの向きの変更速度が、第１固視標光源８２の点灯及び第２固視標光源８４の点灯を残像現象により連続した点灯として被検眼３８を通して被検者に知覚させる速度とされている。従って、眼底観察装置１０Ａによれば、照射光（ここでは一例として信号光）を第１照射領域αに照射させて撮像を行う場合に、被検者に対して固視標を途切れることなく視認させることができる。
【０１００】
［第２実施形態］
上記第１実施形態では、第１固視標光源８２及び第２固視標光源８４の２つの固視標光源を用いて固視標を被検者に提示する場合を例示したが、本第２実施形態では、４つの固視標光源を用いて固視標を被検者に提示する場合について説明する。
【０１０１】
なお、本第２実施形態では、上記第１実施形態で説明した構成要素と同一の構成要素については同一の符号を付し、その説明を省略し、主に上記第１実施形態と異なる部分について説明する。
【０１０２】
本第２実施形態に係る眼底観察装置１０Ｂ（図１参照）は、上記第１実施形態で説明した眼底観察装置１０Ａに比べ、一例として図９に示すように、第３固視標光源１２０、第４固視標光源１２２、及びフレーム１２４，１２６を有する点が異なる。
【０１０３】
また、眼底観察装置１０Ｂは、眼底観察装置１０Ａに比べ、一例として図３に示すように、二次記憶部７８がプログラム８０Ａに代えてプログラム８０Ｂを記憶している点が異なる。
【０１０４】
第３固視標光源１２０は、本開示の技術に係る「第３の光源」の一例であり、第４固視標光源１２２は、本開示の技術に係る「第４の光源」の一例である。
【０１０５】
一例として図９に示すように、第３固視標光源１２０及び第４固視標光源１２２は、スリットミラー６６を挟んでＺ方向で対峙する箇所に配置されており、第４固視標光源１２２は、第３固視標光源１２０よりも鏡面７０Ａ側に配置されている。
【０１０６】
第３固視標光源１２０は、第１固視標光源８２に隣り合うように配置されており、第１固視標光源８２よりも鏡面７０ＡからＺ方向に離れた箇所に配置されている。また、第３固視標光源１２０は、フレーム１２４等によって筐体に固定されている。
【０１０７】
第４固視標光源１２２は、第２固視標光源８４に隣り合うように配置されており、第２固視標光源８４よりも鏡面７０Ａ寄りに配置されている。また、第４固視標光源１２２は、フレーム１２６等によって筐体に固定されている。
【０１０８】
ここで、第３固視標光源１２４及び第４固視標光源１２２の各々は、光量、波長、及びビーム径等の光の特性が第１固視標光源８２及び第２固視標光源８４と同一の固視標光を射出するＬＥＤである。また、第３固視標光源１２４及び第４固視標光源１２２の各々は、制御装置１３の制御下で、点灯及び消灯が選択的に行われる。
【０１０９】
本第２実施形態において、固視標光は、第１固視標光と、第２固視標光と、第３固視標光源１２０から射出される第３固視標光と、第４固視標光源１２２から射出される第４固視標光とに大別される。なお、本第２実施形態では、説明の便宜上、第１〜第４固視標光を区別せずに説明する場合、単に「固視標光」と称する。また、図９〜図１１において、一点鎖線で示す光路は、照射光の光路であり、二点鎖線で示す固視標光の光路である。
【０１１０】
一例として図１０及び図１１に示すように、第３端部β１と第４端部β２との間で往復して信号光が照射される場合、Ｈ−ガルバノミラー６８の振動数は、例えば、２５Ｈｚ（ヘルツ）である。なお、ここで、第３端部β１とは、第２照射領域βにおけるＸ方向の一方の最外端部を指し、第４端部β２とは、第２照射領域βにおけるＸ方向の他方の最外端部を指す。
【０１１１】
一例として図１０に示すように、第３固視標光源１２０は、Ｈ−ガルバノミラー６８の鏡面６８Ａの向きが第３の向きの場合に第３固視標光が眼底に対して正対した状態で第１照射領域αの中央部に照射されるように配置されている。第３固視標光源１２０は、鏡面６８Ａの向きが第３の向きの場合にのみ点灯される。なお、ここで、第３の向きとは、一例として図１０に示すように、第３端部β１に照射光が照射される場合の鏡面６８Ａの向きを指す。
【０１１２】
鏡面６８Ａの向きが第３の向きの場合、第３固視標光は、鏡面６８Ａ及び鏡面７０Ａを介して眼底に対して正対した状態で第１照射領域αの中央部に照射される。つまり、鏡面６８Ａの向きが第３の向きの場合、第３固視標光は、鏡面６８Ａで反射し、反射した第３固視標光は鏡面７０Ａで更に反射し、鏡面７０Ａで反射した第３固視標光は眼底に対して正対した状態で第１照射領域αの中央部に到達する。
【０１１３】
一例として図１１に示すように、第４固視標光源１２２は、鏡面６８Ａの向きが第４の向きの場合に第４固視標光が眼底に対して正対した状態で第１照射領域αの中央部に照射されるように配置されている。第４固視標光源１２２は、鏡面６８Ａの向きが第４の向きの場合にのみ点灯される。なお、ここで、第４の向きとは、一例として図１１に示すように、第４端部β２に照射光が照射される場合の鏡面６８Ａの向きを指す。
【０１１４】
鏡面６８Ａの向きが第４の向きの場合、第４固視標光は、鏡面６８Ａ及び鏡面７０Ａを介して眼底に対して正対した状態で第１照射領域αの中央部に照射される。つまり、鏡面６８Ａの向きが第４の向きの場合、第４固視標光は、鏡面６８Ａで反射し、反射した第４固視標光は鏡面７０Ａで更に反射し、鏡面７０Ａで反射した第４固視標光は眼底に対して正対した状態で第１照射領域αの中央部に到達する。
【０１１５】
なお、鏡面６８Ａの向きが第３の向き又は第４の向きでない場合、すなわち、照射光が第３端部β１又は第４端部β２に照射されない場合、第３固視標光源１２０及び第４固視標光源１２２は消灯される。
【０１１６】
なお、本第２実施形態では、上述したように、Ｈ−ガルバノミラー６８が２５Ｈｚで回転動作するので、第３固視標光源１２０の点灯及び第４固視標光源１２２の点灯を残像現象により連続した点灯として被検眼３８を通して被検者に知覚させることができる。このように、本第２実施形態では、ＯＣＴモードにおいて、Ｈ−ガルバノミラー６８が２５Ｈｚで回転動作する場合を例示しているが、本開示の技術はこれに限定されるものではない。例えば、Ｈ−ガルバノミラー６８の向きの変更速度は、第３固視標光源１２０の点灯及び第４固視標光源１２２の点灯を残像現象により連続した点灯として被検眼３８を通して被検者に知覚させる速度であればよい。
【０１１７】
次に、眼底観察装置１０Ｂの本開示の技術に係る部分の作用として、ＯＣＴモードで眼底の撮像が行われている場合にＣＰＵ７４がプログラム８０Ｂに従うことでＣＰＵ７４によって実行される固視標光制御処理について図１２を参照して説明する。
【０１１８】
図１２に示す固視標光制御処理では、ステップ１５０で、ＣＰＵ７４は、信号光の眼底での照射位置が第１端部α１か否かを判定する。ステップ１５０において、信号光の眼底での照射位置が第１端部α１の場合は、判定が肯定されて、ステップ１５２へ移行する。ステップ１５０において、信号光の眼底での照射位置が第１端部α１でない場合は、判定が否定されて、ステップ１５６へ移行する。
【０１１９】
ステップ１５２で、ＣＰＵ７４は、第１固視標光源８２を既定時間（例えば、上記第１実施形態で説明した第１固視標光源８２と同一の点灯時間）だけ点灯させ、その後、ステップ１５４へ移行する。
【０１２０】
ステップ１５６で、ＣＰＵ７４は、信号光の眼底での照射位置が第２端部α２か否かを判定する。ステップ１５６において、信号光の眼底での照射位置が第２端部α２の場合は、判定が肯定されて、ステップ１５８へ移行する。ステップ１５６において、信号光の眼底での照射位置が第２端部α２でない場合は、判定が否定されて、ステップ１６０へ移行する。
【０１２１】
ステップ１５８で、ＣＰＵ７４は、第２固視標光源８４を既定時間（例えば、第１固視標光源８２の点灯時間と同じ時間）だけ点灯させ、その後、ステップ１５４へ移行する。
【０１２２】
ステップ１６０で、ＣＰＵ７４は、信号光の眼底での照射位置が第３端部β１か否かを判定する。ステップ１６０において、信号光の眼底での照射位置が第３端部β１の場合は、判定が肯定されて、ステップ１６２へ移行する。ステップ１６０において、信号光の眼底での照射位置が第３端部β１でない場合は、判定が否定されて、ステップ１６４へ移行する。
【０１２３】
ステップ１６２で、ＣＰＵ７４は、第３固視標光源１２０を既定時間（例えば、第１固視標光源８２の点灯時間と同じ時間）だけ点灯させ、その後、ステップ１５４へ移行する。
【０１２４】
ステップ１６４で、ＣＰＵ７４は、信号光の眼底での照射位置が第４端部β２か否かを判定する。ステップ１６４において、信号光の眼底での照射位置が第４端部β２の場合は、判定が肯定されて、ステップ１６６へ移行する。ステップ１６４において、信号光の眼底での照射位置が第４端部β２でない場合は、判定が否定されて、ステップ１５０へ移行する。
【０１２５】
ステップ１６６で、ＣＰＵ７４は、第４固視標光源１２２を既定時間（例えば、第１固視標光源８２の点灯時間と同じ時間）だけ点灯させ、その後、ステップ１５４へ移行する。
【０１２６】
ステップ１５４で、ＣＰＵ７４は、終了条件を満足したか否かを判定する。ステップ１５４において、終了条件を満足していない場合は、判定が否定されて、ステップ１５０へ移行する。ステップ１５４において、終了条件を満足した場合は、判定が肯定されて、本固視標光制御処理を終了する。
【０１２７】
以上説明したように、眼底観察装置１０Ｂは、鏡面６８Ａの向きが第３の向きの場合に点灯する第３固視標光源１２０と、鏡面６８Ａの向きが第４の向きの場合に点灯する第４固視標光源１２２とを備えている。従って、眼底観察装置１０Ｂによれば、第２照射領域βに対応した固視標の提示を実現することができる。
【０１２８】
また、眼底観察装置１０Ｂでは、鏡面６８Ａの向きの変更速度が、第３固視標光源１２０の点灯及び第４固視標光源１２２の点灯を残像現象により連続した点灯として被検眼３８を通して被検者に知覚させる速度とされている。従って、眼底観察装置１０Ｂによれば、照射光（ここでは一例として信号光）を第２照射領域βに照射させて撮像を行う場合に、被検者に対して固視標を途切れることなく視認させることができる。
【０１２９】
［第３実施形態］
上記第２実施形態では、撮像エリアを第１照射領域αから第２照射領域βに拡張した場合の被検者への固視標の提示を実現すべく、４つの光源を用いたが、本第３実施形態では、３つの光源で被検者へ固視標を提示する場合について説明する。
【０１３０】
なお、本第３実施形態では、上記第１及び第２実施形態で説明した構成要素と同一の構成要素については同一の符号を付し、その説明を省略し、主に上記各実施形態と異なる部分について説明する。
【０１３１】
本第３実施形態に係る眼底観察装置１０Ｃ（図１参照）は、上記第２実施形態で説明した眼底観察装置１０Ｂに比べ、一例として図１３に示すように、第４固視標光源１２２、及びフレーム１２４，１２６を有しない点が異なる。
【０１３２】
また、眼底観察装置１０Ｃは、眼底観察装置１０Ｂに比べ、一例として図１３に示すように、平面ミラー１８２を有する点、及び第３固視標光源１２０に代えて第３固視標光源１８０を有する点が異なる。
【０１３３】
また、眼底観察装置１０Ｃは、眼底観察装置１０Ｂに比べ、一例として図１４〜図１６に示すように、リンク機構１８１及び駆動源１８６を有する点が異なる。
【０１３４】
更に、眼底観察装置１０Ｃは、眼底観察装置１０Ｂに比べ、一例として図３に示すように、二次記憶部７８がプログラム８０Ｂに代えてプログラム８０Ｃを記憶している点が異なる。
【０１３５】
第３固視標光源１８０は、本開示の技術に係る「光源」の一例である。第３固視標光源１８０は、光量、波長、及びビーム径等の光の特性が第１固視標光源８２及び第２固視標光源８４と同一の固視標光を射出するＬＥＤである。第３固視標光源１８０は、制御装置１３の制御下で、点灯及び消灯が選択的に行われる。
【０１３６】
本第３実施形態において、固視標光は、第１固視標光と、第２固視標光と、第３固視標光源１８０から射出される第３固視標光とに大別される。なお、本第３実施形態では、説明の便宜上、第１〜第３固視標光を区別せずに説明する場合、単に「固視標光」と称する。また、図１３〜図１６において、一点鎖線で示す光路は、照射光の光路であり、二点鎖線で示す固視標光の光路である。
【０１３７】
一例として図１３に示すように、第３固視標光源１８０は、楕円面鏡７０の鏡面７０Ａにおいて、照射光の光路から外れた位置に配置され、鏡面７０Ａに固定されている。
【０１３８】
一例として図１４〜図１６に示すように、眼底観察装置１０Ｃは、本開示の技術に係る「移動機構」の一例であるリンク機構１８１を有する。また、眼底観察装置１０Ｃは、制御装置１３の制御下で動力を生成して出力する駆動源１８６を有する。なお、本第３実施形態では、駆動源１８６の一例としてソレノイドを採用しているが、本開示の技術はこれに限定されるものではく、例えば、ステッピングモータ等の他の駆動源でも代替可能である。
【０１３９】
リンク機構１８１は、動力伝達アーム１８４及び回転部材１８３を有する。一例として図１５及び図１６に示すように、回転部材１８３の基端部は、回転軸Ｐによって動力伝達アーム１８４の先端部に軸支されており、回転部材１８３の先端には、平面ミラー１８２が固定されている。
【０１４０】
動力伝達アーム１８４の基端部は駆動源１８６に接続されており、動力伝達アーム１８４は、駆動源１８６によって生成された動力を回転部材１８３に伝達することで、平面ミラー１８２の鏡面１８２Ａを第１の位置と第２の位置との間で移動させる。なお、鏡面１８２Ａは、本開示の技術に係る「第２反射面」の一例である。また、ここでは、一例として、平面状に形成された鏡面１８２Ａを有する平面ミラー１８２を例示しているが、本発明はこれに限定されるものではない。例えば、平面ミラー１８２に代えて、固視標光を眼底の中央部に正対した状態で照射可能に形成された凸面状又は凹面状等の鏡面を有するミラーであってもよい。
【０１４１】
なお、本第３実施形態において、第１の位置とは、鏡面６８Ａの向きが上記第２実施形態で説明した第３の向きの場合及び第４の向きの場合に鏡面１８２Ａが第３固視標光を反射し、反射した第３固視標光を鏡面７０Ａを介して眼底に正対した状態で照射させる位置を指す。また、第２の位置とは、第１照射領域αに照射光が照射される場合の照射光の光路から外れた位置を指す。
【０１４２】
また、本第３実施形態では、駆動源１８６としてソレノイドが採用されているので、ソレノイドの鉄芯の直進力をリンク機構１８１で回転力に変換することで鏡面１８２Ａを第１の位置と第２の位置との間で移動させている。
【０１４３】
一例として図１４に示すように、第３固視標光源１８０は、鏡面６８Ａの向きが第３の向きの場合に第３固視標光が眼底に対して正対した状態で第１照射領域αの中央部に照射されるように配置されている。
【０１４４】
鏡面６８Ａの向きが第３の向きの場合、第３固視標光は、鏡面６８Ａ及び鏡面７０Ａを介して眼底に対して正対した状態で第１照射領域αの中央部に照射される。つまり、鏡面６８Ａの向きが第３の向きの場合、第３固視標光は、鏡面６８Ａで反射し、反射した第３固視標光は鏡面７０Ａで更に反射し、鏡面７０Ａで反射した第３固視標光は眼底に対して正対した状態で第１照射領域αの中央部に到達する。
【０１４５】
一例として図１５に示すように、第３固視標光源１８０は、鏡面６８Ａの向きが上記第２実施形態で説明した第４の向きの場合に第４固視標光が眼底に対して正対した状態で第１照射領域αの中央部に照射されるように配置されている。
【０１４６】
鏡面６８Ａの向きが第４の向きの場合、第４固視標光は、鏡面６８Ａ及び鏡面７０Ａを介して眼底に対して正対した状態で第１照射領域αの中央部に照射される。つまり、鏡面６８Ａの向きが第４の向きの場合、第４固視標光は、鏡面６８Ａで反射し、反射した第４固視標光は鏡面７０Ａで更に反射し、鏡面７０Ａで反射した第４固視標光は眼底に対して正対した状態で第１照射領域αの中央部に到達する。
【０１４７】
第３固視標光源１８０は、鏡面６８Ａの向きが第３の向きの場合及び第４の向きの場合にのみ点灯される。
【０１４８】
一例として図１６に示すように、鏡面６８Ａの向きが第３の向き又は第４の向きでない場合、すなわち、例えば、照射光が第３端部β１又は第４端部β２に照射されない場合、鏡面１８２Ａは、第２位置に退避した状態となり、第３固視標光源１８０は消灯される。
【０１４９】
次に、眼底観察装置１０Ｃの本開示の技術に係る部分の作用として、ＯＣＴモードで眼底の撮像が行われている場合にＣＰＵ７４がプログラム８０Ｃに従うことでＣＰＵ７４によって実行される固視標光制御処理について図１７を参照して説明する。
【０１５０】
図１７に示す固視標光制御処理では、先ず、ステップ２００で、ＣＰＵ７４は、Ｈ−ガルバノミラー６８の位置が第２照射範囲対応位置か否かを判定する。ここで、第２照射範囲対応位置とは、信号光が第２照射範囲βに照射される場合のＨ−ガルバノミラー６８の位置を指す。
【０１５１】
ステップ２００において、Ｈ−ガルバノミラー６８の位置が第２照射範囲対応位置の場合は、判定が肯定されて、ステップ２０２へ移行する。ステップ２００において、Ｈ−ガルバノミラー６８の位置が第２照射範囲対応位置でない場合は、判定が否定されて、ステップ２１４へ移行する。
【０１５２】
ステップ２０２で、ＣＰＵ７４は、平面ミラー１８２の鏡面１８２Ａの位置が第２の位置か否かを判定する。ステップ２０２において、平面ミラー１８２の鏡面１８２Ａの位置が第２の位置の場合は、判定が肯定されて、ステップ２０４へ移行する。ステップ２０２において、平面ミラー１８２の鏡面１８２Ａの位置が第２の位置でない場合は、判定が否定されて、ステップ２０８へ移行する。
【０１５３】
ステップ２０４で、ＣＰＵ７４は、駆動源１８６を制御することで、平面ミラー１８２の鏡面１８２Ａを第１の位置に移動させ、その後、ステップ２０６へ移行する。
【０１５４】
ステップ２０６で、ＣＰＵ７４は、第３固視標光源１８０を既定時間（例えば、上記第１実施形態で説明した第１固視標光源８２と同一の点灯時間）だけ点灯させ、その後、ステップ２０８へ移行する。
【０１５５】
ステップ２０８で、ＣＰＵ７４は、既定時間内に信号光が第１照射領域α内に照射されるか否かを判定する。なお、本ステップ２０８での「既定時間」とは、平面ミラー１８２の鏡面１８２Ａを第１の位置から第２の位置に退避させる迄に要する時間として実機による試験又はコンピュータ・シミュレーション等の結果から予め算定された時間を指す。
【０１５６】
ステップ２０８において、既定時間内に信号光が第１照射領域α内に照射される場合は、判定が肯定されて、ステップ２１０へ移行する。ステップ２０８において、既定時間内に信号光が第１照射領域α内に照射されない場合は、判定が否定されて、ステップ２１２へ移行する。
【０１５７】
ステップ２１０で、ＣＰＵ７４は、駆動源１８６を制御することで、平面ミラー１８２の鏡面１８２Ａを第２の位置に退避させ、その後、ステップ２１２へ移行する。
【０１５８】
ステップ２１４で、ＣＰＵ７４は、信号光の眼底での照射位置が第１端部α１か否かを判定する。ステップ２１４において、信号光の眼底での照射位置が第１端部α１の場合は、判定が肯定されて、ステップ２１６へ移行する。ステップ２１４において、信号光の眼底での照射位置が第１端部α１でない場合は、判定が否定されて、ステップ２１８へ移行する。
【０１５９】
ステップ２１６で、ＣＰＵ７４は、第１固視標光源８２を既定時間（例えば、第３固視標光源１８０の点灯時間と同じ時間）だけ点灯させ、その後、ステップ２１２へ移行する。なお、
【０１６０】
ステップ２１８で、ＣＰＵ７４は、信号光の眼底での照射位置が第２端部α２か否かを判定する。ステップ２１８において、信号光の眼底での照射位置が第２端部α２の場合は、判定が肯定されて、ステップ２２０へ移行する。ステップ２１８において、信号光の眼底での照射位置が第２端部α２でない場合は、判定が否定されて、ステップ２１２へ移行する。
【０１６１】
ステップ２２０で、ＣＰＵ７４は、第２固視標光源８４を既定時間（例えば、第３固視標光源１８０の点灯時間と同じ時間）だけ点灯させ、その後、ステップ２１２へ移行する。
【０１６２】
ステップ２１２で、ＣＰＵ７４は、終了条件を満足したか否かを判定する。ステップ２１２において、終了条件を満足していない場合は、判定が否定されて、ステップ２００へ移行する。ステップ２１２において、終了条件を満足した場合は、判定が肯定されて、本固視標光制御処理を終了する。
【０１６３】
以上説明したように、眼底観察装置１０Ｃは、鏡面６８Ａの向きが第３の向きの場合及び第４の向きの場合に鏡面１８２Ａが第１の位置に配置され、第３固視標光を鏡面１８２Ａで反射させて眼底の中心部に照射させている。また、眼底観察装置１０Ｃは、鏡面６８Ａの向きが第３の向き又は第４の向きでない場合に鏡面１８２Ａを第２の位置に退避させている。従って、眼底観察措置１０Ｃによれば、第２照射領域βに対応した固視標の提示を実現することができる。
【０１６４】
なお、上記第３実施形態では、駆動源１８６で生成された駆動力をリンク機構１８１に伝達することで鏡面１８２Ａを第１の位置と第２の位置との間で移動させるようにしたが、本開示の技術はこれに限定されるものではない。例えば、図２０に示すように、駆動源１８６に代えて手動式のレバー２７０を採用してもよい。
【０１６５】
この場合、レバー２７０の一端部は、リンク機構１８１の動力伝達アーム１８４の基端部に固定されており、レバー２７０を破線矢印方向に移動させることで回転部材１８３を回転させ、鏡面１８２Ａを第１の位置と第２の位置との間で移動させる。そして、鏡面１８２Ａを第１の位置に配置した状態で第３固視標光源１８０を点灯させる。なお、鏡面１８２Ａが第１の位置に移動した場合に平面ミラー１８２がセンサ（図示省略）によって検知され、平面ミラー１８２がセンサによって検知された場合に制御装置１３の制御下で第３固視標光源１８０が点灯されるようにすればよい。また、受付デバイス２２によって受け付けられた特定の指示に応じて第３固視標光源１８０が点灯されるようにしてもよい。一例として図２０に示す構成によれば、ＳＬＯモードで眼底を撮像する場合、撮像に先立って被検者に第３固視標光を視認させることで、被検者の視線を固定させることが可能となる。
【０１６６】
［第４実施形態］
上記第３実施形態では、第３固視標光源１８０の位置が固定されている場合について説明したが、本第４実施形態では、可動式の第３固視標光源２３２（図１８参照）を適用した場合について説明する。
【０１６７】
なお、本第４実施形態では、上記第１〜第３実施形態で説明した構成要素と同一の構成要素については同一の符号を付し、その説明を省略し、主に上記各実施形態と異なる部分について説明する。
【０１６８】
本第４実施形態に係る眼底観察装置１０Ｄ（図１参照）は、上記第３実施形態に係る眼底観察装置１０Ｃに比べ、一例として図１８に示すように、平面ミラー１８２に代えて台座２３０を有する点が異なる。
【０１６９】
また、眼底観察装置１０Ｄは、眼底観察装置１０Ｃに比べ、第３固視標光源１８０に代えて第３固視標光源２３２を有する点が異なる。
【０１７０】
更に、眼底観察装置１０Ｄは、眼底観察装置１０Ｃに比べ、一例として図３に示すように、二次記憶部７８がプログラム８０Ｃに代えてプログラム８０Ｄを有する点が異なる。
【０１７１】
一例として図１８に示すように、回転部材１８３の先端には台座２３０が固定されており、台座２３０の中央部には第３固視標光源２３２が固定されている。
【０１７２】
第３固視標光源２３２の固視標光の特性は、上記第３実施形態で説明した第３固視標光源１８０の固視標光の特性と同一であり、第３固視標光源２３２は、制御装置１３の制御下で、点灯及び消灯が選択的に行われる。
【０１７３】
本第４実施形態において、固視標光は、第１固視標光と、第２固視標光と、第３固視標光源２３２から射出される第３固視標光とに大別される。なお、本第４実施形態では、説明の便宜上、第１〜第３固視標光を区別せずに説明する場合、単に「固視標光」と称する。また、図１８において、一点鎖線で示す光路は、照射光の光路であり、二点鎖線で示す固視標光の光路である。
【０１７４】
動力伝達アーム１８４は、駆動源１８６によって生成された動力を回転部材１８３に伝達することで、第３固視標光源２３２を第１の位置（例えば、図１８に示す位置）と第２の位置との間で移動させる。ここで、第１の位置とは、鏡面６８Ａの向きが上記第２実施形態で説明した第３の向きの場合及び第４の向きの場合に第３固視標光源２３２から射出した第３固視標光を鏡面７０Ａが反射し、反射した第３固視標光を眼底に正対した状態で照射させる位置を指す。また、第２の位置とは、第１照射領域αに照射光が照射される場合の照射光の光路から外れた位置を指す。
【０１７５】
鏡面６８Ａの向きが第３の向きの場合、第３固視標光源２３２は第１の位置に配置され、第３固視標光源２３２からの第３固視標光は、鏡面７０Ａで反射し、鏡面７０Ａで反射した第３固視標光は眼底に対して正対した状態で第１照射領域αの中央部に到達する。
【０１７６】
鏡面６８Ａの向きが第４の向きの場合、第３固視標光源２３２は第１の位置に配置され、第３固視標光源２３２からの第３固視標光は、鏡面７０Ａで反射し、鏡面７０Ａで反射した第３固視標光は眼底に対して正対した状態で第１照射領域αの中央部に到達する。
【０１７７】
第３固視標光源２３２は、鏡面６８Ａの向きが第３の向きの場合及び第４の向きの場合にのみ点灯される。
【０１７８】
なお、鏡面６８Ａの向きが第３の向き又は第４の向きでない場合、すなわち、例えば、照射光が第３端部β１又は第４端部β２に照射されない場合、第３固視標光源２３２は、第２位置に退避した状態となり、第３固視標光源２３２は消灯される。
【０１７９】
次に、眼底観察装置１０Ｄの本開示の技術に係る部分の作用として、ＯＣＴモードで眼底の撮像が行われている場合にＣＰＵ７４がプログラム８０Ｄに従うことでＣＰＵ７４によって実行される固視標光制御処理について図１９を参照して説明する。なお、図１７に示すフローチャートのステップと同一のステップについては同一のステップ番号を付し、その説明を省略する。
【０１８０】
図１９に示す固視標光制御処理は、図１７に示す固視標光制御処理に比べ、ステップ２０２〜２０６に代えてステップ２５０〜２５４を有する点、及びステップ２１０に代えてステップ２５６を有する点が異なる。
【０１８１】
ステップ２５０で、ＣＰＵ７４は、第３固視標光源２３２の位置が第２の位置か否かを判定する。ステップ２５０において、第３固視標光源２３２の位置が第２の位置の場合は、判定が肯定されて、ステップ２５２へ移行する。ステップ２５０において、第３固視標光源２３２の位置が第２の位置でない場合は、判定が否定されて、ステップ２０８へ移行する。
【０１８２】
ステップ２５２で、ＣＰＵ７４は、駆動源１８６を制御することで、第３固視標光源２３２を第１の位置に移動させ、その後、ステップ２５４へ移行する。
【０１８３】
ステップ２５４で、ＣＰＵ７４は、第３固視標光源２３２を既定時間（例えば、上記第１実施形態で説明した第１固視標光源８２と同一の点灯時間）だけ点灯させ、その後、ステップ２０８へ移行する。
【０１８４】
ステップ２５６で、ＣＰＵ７４は、駆動源１８６を制御することで、第３固視標光源２３２を第２の位置に退避させ、その後、ステップ２１２へ移行する。
【０１８５】
以上説明したように、眼底観察装置１０Ｄは、鏡面６８Ａの向きが第３の向きの場合及び第４の向きの場合に第３固視標光源２３２が第１の位置に配置され、第３固視標光を鏡面７０Ａで反射させて眼底の中心部に照射させている。また、眼底観察装置１０Ｄは、鏡面６８Ａの向きが第３の向き又は第４の向きでない場合に第３固視標光源２３２を第２の位置に退避させている。従って、眼底観察措置１０Ｄによれば、眼底の周辺部である第２照射領域βに対応した固視標の提示を実現することができる。
【０１８６】
なお、上記第４実施形態では、駆動源１８６で生成された駆動力をリンク機構１８１に伝達することで第３固視標光源２３２を第１の位置と第２の位置との間で移動させるようにしたが、本開示の技術はこれに限定されるものではない。例えば、図２１に示すように、駆動源１８６に代えて手動式のレバー２７０を採用してもよい。
【０１８７】
この場合、レバー２７０の一端部は、リンク機構１８１の動力伝達アーム１８４の基端部に固定されており、レバー２７０を破線矢印方向に移動させることで回転部材１８３を回転させ、第３固視標光源２３２を第１の位置と第２の位置との間で移動させる。そして、第３固視標光源２３２を第１の位置に配置した状態で第３固視標光源２３２を点灯させる。なお、第３固視標光源２３２が第１の位置に移動した場合、第３固視標光源２３２又は台座２３０がセンサ（図示省略）によって検知され、第３固視標光源２３２又は台座２３０がセンサによって検知された場合に制御装置１３の制御下で第３固視標光源２３２が点灯されるようにすればよい。また、受付デバイス２２によって受け付けられた特定の指示に応じて第３固視標光源２３２が点灯されるようにしてもよい。一例として図２１に示す構成によれば、ＳＬＯモードで眼底を撮像する場合、撮像に先立って被検者に第３固視標光を視認させることで、被検者の視線を固定させることが可能となる。
【０１８８】
また、上記各実施形態では、スリットミラー６６及び楕円面鏡７０による一対の凹面鏡を例示したが、本発明はこれに限定されるものではない。例えば、スリットミラー６６に代えて、傾斜球面鏡、非球面鏡、一対のパラボラ鏡、一対の放物面鏡、若しくはレンズ系、又はこれらを適宜に組み合わせた光学系を適用してもよい。
【０１８９】
また、上記各実施形態ではプログラム８０Ａ，８０Ｂ，８０Ｃ，８０Ｄ（以下、単に「プログラム８０Ａ等」と称する）を二次記憶部７８から読み出す場合を例示したが、必ずしも最初から二次記憶部７８に記憶させておく必要はない。例えば、図２２に示すように、ＳＳＤ（Ｓｏｌｉｄ  Ｓｔａｔｅ  Ｄｒｉｖｅ）ＵＳＢ（Ｕｎｉｖｅｒｓａｌ  Ｓｅｒｉａｌ  Ｂｕｓ）メモリ、又はＣＤ−ＲＯＭ（Ｃｏｍｐａｃｔ  Ｄｉｓｋ  Ｒｅａｄ  Ｏｎｌｙ  Ｍｅｍｏｒｙ）などの任意の可搬型の記憶媒体３００に先ずはプログラム８０Ａ等を記憶させておいてもよい。この場合、記憶媒体３００のプログラム８０Ａ等が眼底観察装置１０Ａ（１０Ｂ，１０Ｃ，１０Ｄ）（以下、「眼底観察装置１０Ａ等」と称する）にインストールされ、インストールされたプログラムがＣＰＵ７４によって実行される。
【０１９０】
また、通信網（図示省略）を介して眼底観察装置１０Ａ等に接続される他のコンピュータ又はサーバ装置等の記憶部にプログラム８０Ａ等を記憶させておき、プログラム８０Ａ等が眼底観察装置１０Ａ等の要求に応じてダウンロードされるようにしてもよい。この場合、ダウンロードされたプログラム８０Ａ等がＣＰＵ７４によって実行される。
【０１９１】
また、上記各実施形態で説明した固視標光制御処理はあくまでも一例である。従って、主旨を逸脱しない範囲内において不要なステップを削除したり、新たなステップを追加したり、処理順序を入れ替えたりしてもよいことは言うまでもない。また、固視標光制御処理に含まれる各処理は、ＦＰＧＡ又はＡＳＩＣ等のハードウェア構成のみで実現されてもよいし、コンピュータを利用したソフトウェア構成とハードウェア構成との組み合わせで実現されてもよい。
【０１９２】
また、上記各実施形態では、Ｙ方向の走査を行うポリゴンミラー４４及びＹ方向の走査を行うＶ−ガルバノミラー６０を、ダイクロイックミラー６４の光入射側に配置する例について説明したが、ダイクロイックミラー６４を光軸方向にスリットミラーの焦点から離れた位置に配置し、Ｙ方向の走査を行うポリゴンミラー４４またはＶ−ガルバノミラー６０をスリットミラーの焦点位置に配置しても良い。この場合、ポリゴンミラー４４またはＶ−ガルバノミラー６０は、ＳＬＯ画像取得時及びＯＣＴ画像取得時に共通に使用される走査光学系として機能する。
【０１９３】
また、ダイクロイックミラー６４により、ＳＬＯ用の光及びＯＣＴ用の光が通過する共通の光軸を生成する例について説明したが、ダイクロイックミラー６４に代えて偏光ビームスプリッタ等のビームスプリッタ、またはハーフミラーなどの光学部材を用いても良い。
【０１９４】
なお、上記各実施形態では、図１に示すように、ポリゴンミラー４４及びＶ−ガルバノミラー６０を、ダイクロイックミラー６４の光入射側に配置し、ＳＬＯ及びＯＣＴのＸ方向の走査を共通に行うＨ−ガルバノミラー６８を、ダイクロイックミラー６４の光出射側に配置した例について説明した。図２３には、図１に示すＳＬＯユニット３２、ＯＣＴユニット３４、及び共通光学系３６に対応する構成が示されている。一例として図２３に示すように、装置本体は、ダイクロイックミラー（Ｄｉｃｈｒｏｉｃ  ｍｉｒｒｏｒ）１０６４、ＳＬＯエンジン（ｅｎｇｉｎｅ）１０３２Ａ、及びＯＣＴエンジン（ｅｎｇｉｎｅ）１０３４Ａを備えている。ダイクロイックミラー１０６４とＳＬＯエンジン１０３２Ａとの間には、走査システム（Ｓｃａｎｎｉｎｇ  ｓｙｓｔｅｍ）１０４４が配置されている。また、ダイクロイックミラー１０６４とＯＣＴエンジン１０３４Ａとの間には、走査システム１０６０が配置されている。そして、ダイクロイックミラー１０６４と被検眼１０３８との間には、走査システム１０６８が配置されている。
【０１９５】
なお、走査システム１０４４は、ポリゴンミラー４４に対応し、ＳＬＯエンジン１０３２Ａは、図１におけるＳＬＯユニット３２からポリゴンミラー４４を除いた部分である。走査システム１０６０は、Ｖ−ガルバノミラー６０に対応し、ＯＣＴエンジン１０３４Ａは、図１におけるＯＣＴユニット３４からＶ−ガルバノミラー６０を除いた部分である。走査システム１０６８は、Ｈ−ガルバノミラー６８に対応する。
【０１９６】
上記走査光学系としては、以下のように変形することができる。
【０１９７】
図２４には、走査光学系の第１の変形例が示されている。一例として図２４に示すように、ダイクロイックミラー１０６４の一方（ＳＬＯエンジン１０３２Ａ側）の光入射側に、ＳＬＯ用の二次元走査光学系１１０４を配置し、ダイクロイックミラー１０６４の他方（ＯＣＴエンジン１０３４Ａ側）の光入射側に、ＯＣＴ用の二次元走査光学系１１０２を配置する。
【０１９８】
図２５には、走査光学系の第２の変形例が示されている。一例として図２５に示すように、ダイクロイックミラー６４の光出射側に、ＳＬＯ及びＯＣＴに共通に使用される二次元走査光学系１２００を配置する。
【０１９９】
また、上記で説明した何れの走査光学系においても、Ｘ方向とＹ方向とを入れ替えても同様の走査が行えることは言うまでもない。
【０２００】
更に、走査を中継する光学部材として楕円面鏡を使用する例について説明したが、放物面鏡などの他の凹面鏡を使用することができ、凹面鏡に代えてレンズ等の光学部材を使用することもできる。走査を中継する光学部材としては、複数の焦点を有する光学部材を使用することができる。この場合の光学部材、走査光学系、及び被検眼の位置関係は、以下の態様をとることができる。
【０２０１】
第１態様では、１つの焦点位置ｆ１に被検眼が配置され、他の１つの焦点位置ｆ２にＳＬＯ及びＯＣＴに共通に使用される二次元走査光学系が配置される。
【０２０２】
第２態様では、１つの焦点位置ｆ１に被検眼が配置され、他の１つの焦点位置ｆ２にＳＬＯに使用される二次元走査光学系が配置され、更に他の１つの焦点位置ｆ３にＯＣＴに使用される二次元走査光学系が配置される。
【０２０３】
第３態様では、１つの焦点位置ｆ１に被検眼が配置され、他の１つの焦点位置ｆ２にＳＬＯ及びＯＣＴに共通に使用される第１の方向に光を走査する一次元走査光学系が配置され、更に他の１つの焦点位置ｆ３にＳＬＯに使用される第１の方向と交差する第２の方向（例えば、直交する方向）に光を走査する一次元走査光学系が配置され、更に他の１つの焦点位置ｆ３と光学的に等価な位置にＯＣＴに使用される第２の方向に光を走査する一次元走査光学系が配置される。
【０２０４】
なお、上記の各態様では、焦点位置に代えて焦点位置と光学的に等価な位置に被検眼及び走査光学系を配置しても良い。
【０２０５】
また、上記第２実施形態では、第１固視標光源８２、第２固視標光源８４、第３固視標光源１２０、及び第４固視標光源１２２を選択的に使用される場合を例示したが、本開示の技術は、これに限定されるものではない。例えば、図２６に示すように、第１固視標光源８２及び第２固視標光源８４を設けずに、第３固視標光源１２０及び第４固視標光源１２２を設けるようにしてもよい。なお、この場合、第１照射領域α及び第２照射領域βにより規定される領域、すなわち、第３端部β１から第４端部β２までの領域が本開示の技術に係る「中央領域」に相当し、第３固視標光源１２０は、本開示の技術に係る「第１の光源」として動作し、第４固視標光源１２２は、本開示の技術に係る「第２の光源」として動作する。
【０２０６】
また、上記第３実施形態では、リンク機構１８１を例示したが、本開示の技術はこれに限定されるものではなく、例えば、リンク機構１８１に代えて、第３及び第４固視標光を眼底に介して正対した状態で照射可能な第１の位置と照射光の光路から外れた第２の位置との間で鏡面１８２Ａを移動させることが可能なシフト機構を用いてもよい。シフト機構の一例としては、ソレノイド又はステッピングモードの動力を受けて直進運動する機構が挙げられる。シフト機構は、鏡面１８２ＡをＺ方向に移動させるものであってもよいし、鏡面１８２ＡをＸ方向に移動させるものであってもよいし、鏡面１８２ＡをＹ方向に移動させるものであってもよい。
【０２０７】
また、第４実施形態についても、第３及び第４固視標光を眼底に介して正対した状態で照射可能な第１の位置と照射光の光路から外れた第２の位置との間で第３固視標光源２３２を移動させることが可能なシフト機構を用いてもよい。
【０２０８】
本明細書に記載された全ての文献、特許出願及び技術規格は、個々の文献、特許出願及び技術規格が参照により取り込まれることが具体的かつ個々に記された場合と同程度に、本明細書中に参照により取り込まれる。
【符号の説明】
【０２０９】
１０Ａ，１０Ｂ，１０Ｃ，１０Ｄ  眼底観察装置
３２  ＳＬＯユニット
３４  ＯＣＴユニット
６８Ａ，７０Ａ，１８２Ａ  鏡面
７４  ＣＰＵ
８２  第１固視標光源
８４  第２固視標光源
１２０，１８０，２３２  第３固視標光源
１２２  第４固視標光源
１８４  リンク機構
１８６  駆動源
α  第１照射領域
α１  第１端部
α２  第２端部
β  第２照射領域
β１  第３端部
β２  第４端部
【図１】
2018061622.tif 000003
【図２】
2018061622.tif 000004
【図３】
2018061622.tif 000005
【図４】
2018061622.tif 000006
【図５】
2018061622.tif 000007
【図６】
2018061622.tif 000008
【図７】
2018061622.tif 000009
【図８】
2018061622.tif 000010
【図９】
2018061622.tif 000011
【図１０】
2018061622.tif 000012
【図１１】
2018061622.tif 000013
【図１２】
2018061622.tif 000014
【図１３】
2018061622.tif 000015
【図１４】
2018061622.tif 000016
【図１５】
2018061622.tif 000017
【図１６】
2018061622.tif 000018
【図１７】
2018061622.tif 000019
【図１８】
2018061622.tif 000020
【図１９】
2018061622.tif 000021
【図２０】
2018061622.tif 000022
【図２１】
2018061622.tif 000023
【図２２】
2018061622.tif 000024
【図２３】
2018061622.tif 000025
【図２４】
2018061622.tif 000026
【図２５】
2018061622.tif 000027
【図２６】
2018061622.tif 000028